(57)【特許請求の範囲】
【請求項１】
表示面を有する表示部と、
前記表示面の上方に配置されて該表示面に表示された画面に対する入力を検出するタッチパネル式の入力部と、
前記入力部の上方に配置されたカバー部と、
前記カバー部をその厚さ方向と直交する方向に変位可能に支持する支持部、および前記カバー部の変位を検出する変位検出部を有し、前記カバー部が前記厚さ方向と直交する方向に変位させられた際に前記変位検出部で検出される変位に基づき、前記表示部の画面中に表示されるカーソルの位置を操作するポインティングデバイスと、
を備えることを特徴とする表示装置。
【請求項２】
当該表示装置全体に働く加速度を検出する加速度検出部を更に有することを特徴とする請求項１に記載の表示装置。
【請求項３】
前記変位検出部は、接触式変位センサまたは光学式変位センサであることを特徴とする請求項１または２に記載の表示装置。
【請求項４】
前記表示面が矩形形状である場合に、前記変位検出部は少なくとも、前記表示面の一辺に沿う方向および該一辺と直交する他辺に沿う方向からなる２軸方向の変位を検出することを特徴とする請求項１〜３のいずれか一つに記載の表示装置。
【請求項５】
２つの変位検出部を備え、該２つの変位検出部のうちの一方の変位検出部は、１方向の変位を検出し、他方の変位検出部は、前記一方の変位検出部の検出方向と直交する方向の変位を検出することを特徴とする請求項１〜４のいずれか一つに記載の表示装置。
【請求項６】
表示面を有する表示部と、
前記表示面の上方に配置されて該表示面に表示された画面に対する入力を検出するタッチパネル式の入力部と、
前記入力部の上方に配置されたカバー部と、
前記カバー部をその厚さ方向と直交する方向に変位可能に支持する支持部、および前記カバー部の変位を検出する変位検出部を有し、前記カバー部が前記厚さ方向と直交する方向に変位させられた際に前記変位検出部で検出される変位に基づき、前記表示部の画面中に表示されるカーソルの位置を操作するポインティングデバイスと、
前記表示部の画面中に表示すべきカーソルの位置を前記変位検出部の検出結果に応じて制御する演算制御部と、
を備えることを特徴とする電子機器。
【請求項７】
当該電子機器全体に働く加速度を検出する加速度検出部を更に備え、
前記演算制御部は、前記変位検出部の検出結果と前記加速度検出部の検出結果とに基づいて前記カーソルの位置を制御することを特徴とする請求項６に記載の電子機器。
【発明の詳細な説明】
【技術分野】
【０００１】
本発明は、表示装置および電子機器に関するものである。
【背景技術】
【０００２】
画像およびカーソルを表示部に表示する電子機器では、カーソルの座標情報を入力するために、マウス、タッチパッド、タッチペン、ジョイスティック、ポインティングスティック、カーソル移動キー等のポインティングデバイスが設けられる。例えば特許文献１には、スティック状の荷重センサからなるポインティングデバイスが記載されており、特許文献２には、歪み検出素子が配置された基板に軸を設けると共にこの軸の上部に板状の操作部を設けた荷重センサからなるポインティングデバイスが記載されている。
【０００３】
また、平板状の本体の１つの主面の略全体に亘るタッチパネル式ディスプレイを備えたいわゆるスレートＰＣと呼ばれる携行型電子機器には、デザイン性を高めるために、例えば特許文献１，２に記載されたポインティングデバイスのように筐体から外部に露出するポインティングデバイスを用いずに、タッチパネルからカーソルの座標情報を入力するものがある。
【先行技術文献】
【特許文献】
【０００４】
【特許文献１】特開平７−１７４６４６号公報
【特許文献２】特開平９−２６５３４８号公報
【発明の概要】
【発明が解決しようとする課題】
【０００５】
タッチパネルからカーソルの座標情報を入力するときには、画面の少なくとも一部がユーザの指や手で必然的に覆い隠されてしまうため、操作性が低下する場合がある。例えば、ゲームのキャラクタをカーソルで指定してこのキャラクタをジグザグ状等、複雑な方向に移動させるとき等においては、操作性が低下して所望の操作を行い難い。
【０００６】
本発明は上記の事情に鑑みてなされたものであり、カーソルの座標情報を高い操作性の下に入力することができ、かつデザイン性を良好に保つことができる表示装置および電子機器を提供することを目的とする。
【課題を解決するための手段】
【０００７】
本発明の表示装置は、表示面を有する表示部と、前記表示面の上方に配置されて該表示面に表示された画面に対する入力を検出するタッチパネル式の入力部と、前記入力部の上方に配置されたカバー部と、前記カバー部をその厚さ方向と直交する方向に変位可能に支持する支持部、および前記カバー部の変位を検出する変位検出部を有し、前記カバー部が前記厚さ方向と直交する方向に変位させられた際に前記変位検出部で検出される変位に基づき、前記表示部の画面中に表示されるカーソルの位置を操作するポインティングデバイスと、を備えることを特徴とする。
【０００８】
本発明の電子機器は、表示面を有する表示部と、前記表示面の上方に配置されて該表示面に表示された画面に対する入力を検出するタッチパネル式の入力部と、前記入力部の上方に配置されたカバー部と、前記カバー部をその厚さ方向と直交する方向に変位可能に支持する支持部、および前記カバー部の変位を検出する変位検出部を有し、前記カバー部が前記厚さ方向と直交する方向に変位させられた際に前記変位検出部で検出される変位に基づき、前記表示部の画面中に表示されるカーソルの位置を操作するポインティングデバイスと、前記表示部の画面中に表示すべきカーソルの位置を前記変位検出部の検出結果に応じて制御する演算制御部と、を備えることを特徴とする。
【発明の効果】
【０００９】
本発明の表示装置では、カバー部を押圧したときに変位検出部によって検出されるカバー部の変位をカーソルの座標情報として用いることができる。このため、変位検出部を表示部の周囲に配置することにより、画面を指や手で覆い隠すことなくカーソルの座標情報を入力することが可能になる。また、変位検出部は、当該表示装置の表面に露出させずにカバー部の下方に配置することができる。これらの結果として、本発明の表示装置では、カーソルの座標情報を高い操作性の下に入力することができ、かつデザイン性を良好に保つことができる。
【図面の簡単な説明】
【００１０】
【図１】図１は、本発明の実施の形態１による電子機器の一例を概略的に示す平面図である。
【図２】図２は、図１に示した電子機器の一部を示す拡大図である。
【図３】図３は、図２に示したIII−III線断面の概略図である。
【図４】図４は、図２に示したIV−IV線断面の概略図である。
【図５】図５は、図１に示した電子機器でカーソルの座標情報を入力する際の操作の一例を概略的に示す平面図である。
【図６】図６は、図１に示した電子機器を概略的に示す機能ブロック図である。
【図７】図７は、本発明の実施の形態２による電子機器の一例を概略的に示す平面図である。
【図８】図８は、本発明の実施の形態３による電子機器の一例を概略的に示す斜視図である。
【図９】図９は、本発明の表示装置におけるカバー部のうち、複合部材からなるカバー部の一例を概略的に示す断面図である。
【発明を実施するための形態】
【００１１】
以下、本発明の実施の形態について、図面を参照して詳細に説明する。なお、本発明は下記の実施の形態に限定されるものではない。
【００１２】
（実施の形態１）
図１は、実施の形態１による電子機器の一例を概略的に示す平面図であり、図２は、図１に示した電子機器の一部を示す拡大図である。これら図１および図２に示す電子機器１は、画像表示および通信ネットワークへの接続が可能な携行型電子機器である。
【００１３】
この電子機器１は、開放面２ａを有する箱状の筐体２、筐体２に設けられて開放面２ａを覆うカバー部３、筐体２に収容されてカバー部３の下方に位置する表示モジュール４、筐体２の内周面とカバー部３の外周面との間を封止する封止材５、および表示モジュール４に表示されるカーソルＣの座標情報を入力するためのポインティングデバイス６を備える。図１および図２には現れていないが、電子機器１は、ポインティングデバイス６から入力された座標情報に応じて表示モジュール４に表示すべきカーソルＣの位置を制御する演算制御部、および外部通信を行う送受信部等も備える。なお、本説明でいう「カーソル」は、画面上で座標を指定する「ポインタ」を含む。
【００１４】
筐体２は、例えば合成樹脂等の有機材料や金属等の無機材料によって作製される。この筐体２には、表示モジュール４、演算制御部、送受信部等が収容される。カバー部３は、透明ガラスや透明合成樹脂等の透明材料からなり、平板状を呈する。表示モジュール４はタッチパネル式ディスプレイによって構成され、表示面４ａをカバー部３側に向けて筐体２に収容される。この表示モジュール４は、画像およびカーソルＣを表示可能である。封止材５は、例えばエラストマ等の弾性材料によって作製されて、カバー部３と共に筐体２を水密に封止する。
【００１５】
ポインティングデバイス６は、筐体２内に固定配置されてカバー部３をその厚さ方向と直交する方向に変位可能に支持する計４つの支持部６１ａ〜６１ｄを有する。また、ポインティングデバイス６は、筐体２内に固定配置されてカバー部３をその厚さ方向と直交する方向に変位可能に支持すると共に、筐体２に対するカバー部３の変位を検出する計４つの変位検出部６２ａ〜６２ｄも有する。さらに、ポインティングデバイス６は、筐体２内に固定配置されて電子装置１全体に働く加速度検出する加速度検出部６３も有する。
【００１６】
各支持部６１ａ〜６１ｄは、例えば合成ゴムやエラストマ等の弾性材料によって作製され、筐体２の内縁に沿って配置される。また、各変位検出部６２ａ〜６２ｄは、例えば歪みセンサや感圧センサ等の接触式変位センサを用いて構成されて、筐体２内の四隅に分散配置される。個々の変位検出部６２ａ〜６２ｄは、例えば互いに直交する２軸方向の変位を検出可能である。加速度検出部６３は、例えば３軸加速度センサを用いて構成されて、例えば筐体２の中央部に配置される。
【００１７】
演算制御部は、ポインティングデバイス６から入力された座標情報に応じて、表示モジュール４に表示すべきカーソルＣの位置を制御する。さらには、表示モジュール４の動作を制御して、表示モジュール４に所定の画像を表示させる。また、送受信部は、通信ネットワークに接続して、通信ネットワークに接続して、該通信ネットワークへの信号や情報等の送出処理および通信ネットワークからの信号や情報等の受信処理を行う。
【００１８】
ここで、図３および図４を参照して、ポインティングデバイス６の構成を更に詳述する。図３は、図２に示したIII−III線断面の概略図であり、図４は、図２に示したIV−IV線断面の概略図である。
【００１９】
これら図３および図４に示すように、筐体２の内縁には枠形状のステージ部２ｂが設けられており、このステージ部２ｂ上に各支持部６１ａ〜６１ｄおよび各変位検出部６２ａ〜６２ｄが固定配置される。図３には支持部６１ｃが現れており、図４には変位検出部６２ｃが現れている。
【００２０】
各支持部６１ａ〜６１ｄは、接着剤等の接合材７ａによってステージ部２ｂに接合されると共に接合材７ｂによってカバー部３の下面内縁部に接合されて、カバー部３を支持する。また、各変位検出部６２ａ〜６２ｄは、所定数のセンサ本体（図示せず）を内蔵するベース部Ｂと、ベース部Ｂからカバー部３側に突出してカバー部３の変位をセンサ本体に伝える軸部Ｓと、可撓性材料や弾性材料によって作製されて軸部Ｓの上端部を覆うキャップ部Ｃａとを有する。ベース部Ｂが接着剤等の接合材８ａによってステージ部２ｂに接合され、キャップ部Ｃａの上面が接合材８ｂによってカバー部３の下面内縁部に接合されて、カバー部３を補助的に支持する。
【００２１】
なお、図３および図４に示すように、表示モジュール４は、表示面４１ａをカバー部３側に向けて配置された液晶表示パネル等のフラットディスプレイパネルを有する表示部４１と、表示面４１ａの上方（前方）に固定配置されて、表示面４１ａに表示された画面に対する入力を検出するタッチパネル式の入力部４２（以下、透明タッチパネル部４２という）とを用いて構成可能である。表示部４１の表示面４１ａが表示モジュール４の表示面４ａとなる。
【００２２】
また、カバー部３は、透明タッチパネル部４２の上面（前面）に透明接合材によって接合してもよいし、透明タッチパネル部４２が例えば静電容量式である場合には、該透明タッチパネル部４２から離隔させて透明タッチパネル部４２の上方に配置してもよい。カバー部３を透明タッチパネル部４２から離隔させて配置する場合には、表示部４１と透明タッチパネル部４２とを支持する表示モジュール支持部を筐体２内に配置する。
【００２３】
上述したポインティングデバイス６を備える電子機器１では、カバー部３の厚さ方向と直交する方向の分力がカバー部３に働くようにして手の指等でカバー部３を押圧することにより、ポインティングデバイス６からカーソルＣの座標情報を入力することができる。カバー部３の押圧は、例えば図５に示すように、変位検出部６２ｃ等の所望の変位検出部の上方を手の指Ｆで押すことによって行うことができる。また、カバー部３の押圧は、変位検出部の上方から外れた箇所を手の指Ｆで押すことによっても行うこともできる。以下、図６を参照して、ポインティングデバイス６から入力されたカーソルＣの座標情報に基づくカーソルＣの表示制御について詳述する。
【００２４】
図６は、図１に示した電子機器１を概略的に示す機能ブロック図である。図６に示すように、電子機器１は、上述した各構成要素に加えて、記憶部１１および電源部１２を更に備える。
【００２５】
演算制御部９は、ポインティングデバイス６、透明タッチパネル部４２、または送受信部１０から入力された情報に基づいて表示部４１の動作を制御して、カーソルＣ（図１参照）や所定の画像を表示部４１に表示させる。そのために、演算制御部９は、入力情報処理部９１、変位補正部９２、位置座標演算部９３、表示制御部９４、および送受信処理部９５を有する。
【００２６】
入力情報処理部９１は、各変位検出部６２ａ〜６２ｄおよび加速度検出部６３それぞれの検出結果を変位補正部９２に入力すると共に、透明タッチパネル部４２からの入力信号をその内容に応じて表示制御部９４または送受信処理部９５に入力する。また、変位補正部９２は、変位検出部６２ａ〜６２ｄの検出結果と加速度検出部６３の検出結果とに基づいて、ポインティングデバイス６が操作されたことに起因するカバー部３の変位を求める。位置座標演算部９３は、変位補正部９２の補正結果に基づいて、画面中でのカーソルＣの位置座標を求める。
【００２７】
表示制御部９４は、位置座標演算部９３の演算結果に基づいて表示部４１の画面中でのカーソルＣの表示位置を制御するカーソル制御部９４ａを有する。また、表示制御部９４は、透明タッチパネル部４２からの入力信号や、送受信部１０が受信して送受信処理部９５により記憶部１１に格納された情報等に基づいて表示部４１の動作を制御して、所定の画面を表示部４１に表示させる主表示制御部９４ｂも有する。
【００２８】
送受信処理部９５は、送受信部１０を通信ネットワークに接続する接続処理および通信ネットワークとの接続を切断する切断処理を行う。また、送受信処理部９５は、送受信部１０から通信ネットワークに送出する送信信号の作成、および送受信部１０が通信ネットワークから受信した受信信号に対応する情報等の記憶部１１への格納も行う。
【００２９】
送受信部１０は、前述したように、通信ネットワークに接続して、該通信ネットワークへの信号や情報等の送出処理および通信ネットワークからの信号や情報等の受信処理を行う。記憶部１１には、演算制御部９の制御プログラム、および送受信部１０が受信した信号や情報等が格納される。電源部１２は、例えば二次電池を用いて構成されて、電子機器１の電力源として機能する。
【００３０】
上述の構成を有する電子機器１では、図５に示したようにカバー部３が手の指Ｆ等で押圧されると、カバー部３の厚さ方向と直交する方向の分力がカバー部３に働いて当該分力の方向にカバー部３が変位する。この変位は各変位検出部６２ａ〜６２ｄによって検出され、検出結果が変位補正部９２に送られる。また、ユーザが電子機器１を動かす等して電子機器１が非慣性運動した場合には、非慣性運動時の加速度が加速度検出部６３によって検出されて、検出結果が変位補正部９２に送られる。さらには、重力加速度も加速度検出部６３によって検出されて、検出結果が変位補正部９２に送られる。
【００３１】
これらの検出結果を受けた変位補正部９２は、変位検出部６２ａ〜６２ｄの検出結果と加速度検出部６３の検出結果とに基づいて、ポインティングデバイス６が操作されたことに起因するカバー部３の変位、別言すればカバー部３が押圧されたことに起因するカバー部３の変位を求めて、この変位に係る情報を位置座標演算部９３に送る。位置座標演算部９３は、上記変位に係る情報に基づいてポインティングデバイス６からのカーソルＣの座標情報の入力結果を確定し、この入力結果に基づいて表示部４１の画面中でのカーソルＣの位置座標を求め、該位置座標に係る情報を表示制御部９４に送る。
【００３２】
表示制御部９４中のカーソル制御部９４ａは、位置座標演算部９３が求めた位置座標の情報に基づいて、表示部４１の画面中でのカーソルＣの表示位置を制御する。具体的には、カーソルＣを上記の分力の方向と同じ方向に移動させる。電子機器１では、たとえカバー部３の変位が封止材５からの反力によって止まったとしても、カバー部３が手の指Ｆ等で押圧されている間は、すなわちカバー部３が非押圧状態下の位置から離間する方向に変位していることを変位検出部６２ａ〜６２ｄの少なくとも１つが検出している間は、ポインティングデバイス６からカーソルＣの座標情報が入力され続けているものとして扱う。
【００３３】
上述のようにしてカーソルＣの表示制御を行う電子機器１では、カバー部３を押圧したときに各変位検出部６２ａ〜６２ｄによって検出されるカバー部３の変位をカーソルＣの座標情報として用いるので、すなわちポインティングデバイス６によってカーソルＣの座標情報を入力することができるので、画面を指や手で覆い隠すことなくカーソルＣの座標情報を入力することが可能である。このため、電子機器１では、カーソルＣの座標情報を高い操作性の下に入力することができる。例えば、画面に表示したゲームのキャラクタをカーソルＣで指定してキャラクタを例えばジグザグ状等、複雑な方向に移動させるとき等においても、高い操作性が得られる。
【００３４】
また、各変位検出部６２ａ〜６２ｄは、カバー部３の下方に配置されて筐体２から外部に露出しない。このため、電子機器１では、そのデザイン性をポインティングデバイス６がないときのデザイン性と同様に良好に保つことができる。
【００３５】
（実施の形態２）
ポインティングデバイスは、カバー部の１方向の変位を検出する１軸の変位検出部を２つ用いて構成することもできる。この場合、一方の変位検出部が検出するカバー部の変位方向と他方の変位検出部が検出するカバー部の変位方向とが互いに異なるように、好ましくは互いに直交するように、これら２つの変位検出部を配置することが好ましい。
【００３６】
図７は、実施の形態２による電子機器の一例を概略的に示す平面図である。図７に示す電子機器１０１は、図１に示したポインティングデバイス６に代えてポインティングデバイス１０６を備えるという点を除き、図１に示した電子機器１と同様の構成を有する。図７に示した構成要素のうちで図１に示した構成要素と共通するものについては、図１で用いた参照符号と同じ参照符号を付してその説明を省略する。
【００３７】
ポインティングデバイス１０６は、図１に示した支持部６１ｂに代えて２つの支持部６１ｂ１，６１ｂ２を備えるという点、図１に示した支持部６１ｃに代えて２つの支持部６１ｃ１，６１ｃ２を備えるという点、および図１に示した計４つの変位検出部６２ａ〜６２ｄに代えて計２つの変位検出部１６２ａ，１６２ｂを備える点をそれぞれ除き、ポインティングデバイス６と同様の構成を有する。
【００３８】
変位検出部１６２ａは、支持部６１ｂ１と支持部６１ｂ２との間に配置されてカバー部３を補助的に支持すると共に、支持部６１ｂ１，６１ｂ２の配列方向に沿ったカバー部３の変位を検出する。また、変位検出部１６２ｂは、支持部６１ｃ１と支持部６１ｃ２との間に配置されてカバー部３を補助的に支持すると共に、支持部６１ｃ１，６１ｃ２の配列方向に沿ったカバー部３の変位を検出する。ポインティングデバイス１０６によるカーソルＣの座標情報の入力は、ポインティングデバイス６によるカーソルＣの座標情報の入力と同じ要領で行うことができる。
【００３９】
上述の構成を有する電子機器１０１では、図１に示した電子機器１と同様に、画面を指や手で覆い隠すことなくポインティングデバイス１０６からカーソルＣの座標情報を入力することができるので、カーソルＣの座標情報を高い操作性の下に入力することができる。また、電子機器１０１では、各変位検出部１６２ａ，１６２ｂがカバー部３の下方に配置されて筐体２から外部に露出しないので、そのデザイン性をポインティングデバイス１０６がないときのデザイン性と同様に良好に保つことができる。
【００４０】
（実施の形態３）
ポインティングデバイスは、タッチパネル式ディスプレイと物理キーボード、仮想キーボード、または操作パネルとを備えた電子機器での表示部の周辺に設けることもできる。
【００４１】
図８は、実施の形態３による電子機器の一例を概略的に示す斜視図である。図８に示す電子機器２０１は、機器本体２０２と、表示装置２０３と、表示装置２０３を機器本体２０２の上面上に開閉自在に保持する２つのヒンジ部２０４ａ，２０４ｂとを有する携行型のコンピュータである。
【００４２】
機器本体２０２は、物理キーボード２２１を備える。また、機器本体２０２内には、表示装置２０３の動作を制御する不図示の演算制御部が内蔵されている。表示装置２０３は、開放面２３２ａを有する筐体２３２と、筐体２３２に設けられて開放面２３２ａを覆うカバー部２３３と、筐体２３２に収容されてカバー部２３３の下方に位置する表示モジュール２３４と、筐体２３２の内周面とカバー部２３３の外周面との間を封止する封止材２３５と、表示モジュール２３４に表示されるカーソルＣの座標情報を入力するためのポインティングデバイス２３６とを備える。
【００４３】
表示モジュール２３４は、例えば図３に示した表示モジュール４と同様に表示部と透明タッチパネル部と有するタッチパネル式ディスプレイであり、表示面２３４ａをカバー部２３３側に向けて筐体２３２に収容される。ポインティングデバイス２３６は、図１に示したポインティングデバイス６と同様に計４つの支持部と、計４つの変位検出部と、１つの加速度検出部とを有する。図８には、ポインティングデバイス２３６の構成要素のうちの変位検出部２３６ａ〜２３６ｄのみが示されている。ポインティングデバイス２３６によるカーソルＣの座標情報の入力は、ポインティングデバイス６によるカーソルの座標情報の入力と同じ要領で行うことができる。なお、機器本体２０２に内蔵された演算制御部は、図６に示した演算制御部９と同様に、ポインティングデバイス２３６が操作されたことに起因するカバー部２３４の変位に応じて、表示モジュール２３４の画面中でのカーソルＣの表示位置を制御する。
【００４４】
上述の構成を有する電子機器２０１では、表示装置２０３にポインティングデバイス２３６が配置されているので、機器本体２０２にはポインティングデバイスを配置しなくてもよい。結果として、電子機器２０１では、その小型化を図り易い。また、電子機器２０１では、画面を指や手で覆い隠すことなくポインティングデバイス２３６ａ〜２３６ｄからカーソルＣの座標情報を入力することができるので、カーソルＣの座標情報を高い操作性の下に入力することができる。さらに、電子機器２０１では、各変位検出部２３６ａ〜２３６ｂがカバー部３の下方に配置されて筐体２３２から外部に露出しないので、そのデザイン性をポインティングデバイス２３６がないときのデザイン性と同様に良好に保つことができる。
【００４５】
以上、実施の形態について説明したが、本発明は上記の実施の形態に限定されるものではない。例えば、少なくとも２軸方向の変位を検出する変位検出部を筐体内に固定配置する場合の変位検出部の総数は、１以上の所望数とすることができる。また、１軸方向の変位を検出する変位検出部を筐体内に固定配置する場合の変位検出部の総数は、２以上の所望数とすることができる。
【００４６】
変位検出部は、接触式変位センサを用いて構成する他に、光学式変位センサを用いて構成することもできる。光学式変位センサを用いて変位検出部を構成する場合には、筐体内に所望数の支持部を固定配置して当該支持部によってカバー部を変位可能に支持する。接触式変位センサを用いて構成された複数個の変位検出部を筐体内に固定配置する場合には、実施の形態１等で説明した支持部を省略して、当該複数個の変位検出部のみによってカバー部を変位可能に支持することもできる。また、支持部は、摺動材料により形成することも可能である。
【００４７】
加速度検出部は、省略することも可能である。ただし、本発明の表示装置を携行型の電子機器の表示装置とする場合や、本発明の電子機器を携行型の電子機器とする場合には、カーソルの座標情報をより正確に入力することを可能にするうえから、加速度検出部を設けた方が好ましい。加速度検出部を省略した場合には、演算制御部における変位補正部を省略することも可能である。変位補正部を省略した場合には、位置座標演算部が変位検出部の検出結果に基づいて画面中でのカーソルの位置座標を求める。
【００４８】
封止材も省略することが可能である。ただし、筐体内への塵埃や水分の侵入を防止するという観点からは、封止材を設けた方が好ましい。封止材を設ける場合には、当該封止材を弾性材料によって形成することが好ましい。弾性材料によって封止材を形成すると、ポインティングデバイスの操作によって変位したカバー部が封止材の弾性力によって操作前の位置に自ずと戻るようなる。
【００４９】
カバー部は、１つの透明材料からなる平板状の部材であってもよいし、少なくとも１つの透明部材と該透明部材とは異なる材料からなる他の部材とが平板状に接合された複合部材であってもよい。図９は、複合部材からなるカバー部の一例を概略的に示す断面図である。図９に示すカバー部３０３は、透明部材からなる平板状の主カバー部３０３ａと、主カバー部３０３ａの四方の側面の各々に突き合わせ接続された計４つの副カバー部とからなる。図９には、４つの副カバー部のうちの２つの副カバー部３０３ｂ，３０３ｃが現れている。副カバー部は、不透明材料によって形成してもよいし、半透明材料によって形成してもよいし、透明材料によって形成してもよい。
【００５０】
また、カバー部は、平板状部材の縁部に側板を設けたトレー状の部材であってもよい。カバー部をトレー状とした場合、当該カバー部は、筐体の開放面側から該筐体に被せるように配置する。このとき、カバー部での側板の外側面が筐体の内側面と対向するようにカバー部の大きさを選定してもよいし、カバー部での側板の内側面が筐体の外側面と対向するようにカバー部の大きさを選定してもよい。
【００５１】
画面中でのカーソルの位置を制御する演算制御部の構成は、該演算制御部を備えた電子機器の使途やグレード等に応じて適宜選定可能である。この演算制御部に変位補正部を設ける場合、変位補正部によってカバー部の変位の演算する際の演算手法も適宜選定可能である。カバー部が押圧されたことに起因するカバー部の変位を正確に演算するうえからは、カバー部に重力が働くことに起因するカバー部の変位、および封止材からの反力に起因するカバー部の変位も加味することが好ましく、そのためにはカバー部の重量のデータや封止材の弾性率のデータを予め記憶部に格納しておくことが好ましい。
【００５２】
また、３軸方向の変位を検出する変位検出部を電子機器に設ける場合には、カバー部の厚さ方向に該カバー部が変位したことを当該変位検出部が検出したときに、マウスのクリック操作に相当する操作が行われたものとして所定の機能を実行するように演算制御部を構成することもできる。
【００５３】
本発明の表示装置は、タッチパネル式の入力部を備えた携行型および据置き型のいずれの電子機器の表示装置としても用いることができる。また、本発明の電子機器は、タッチパネル式の入力部を有する表示装置を備えた携行型および据置き型のいずれの電子機器であってもよい。携行型の電子機器の具体例としては、携帯電話、携行型ゲーム機、携行型コンピュータ、携行型端末等が挙げられる。据置き型電子機器の具体例としては、炊飯器、ポット、電子レンジ、オーブン、冷蔵庫、洗濯機、ＩＨクッキングヒータ等のいわゆる白物家電（生活家電）や、電子フォトスタンド、プリンタ、コピー機、ファクシミリ、給湯器のコントロールパネル、工作機械のコントロールパネル等が挙げられる。また、本発明の電子機器は、電子機器本体を遠隔制御するリモートコントローラであってもよい。本発明の表示装置および電子機器の各々については、上述した以外にも様々な変形、装飾、組み合わせ等が可能である。
【符号の説明】
【００５４】
１，１０１，２０１  電子機器
２，２３２  筐体
２ａ，２３２ａ  開放面
３，２３３，３０３  カバー部
４，２３４  表示モジュール
４１  表示部
４２  タッチパネル式の入力部（透明タッチパネル部）
６，１０６，２３６  ポインティングデバイス
６１ａ〜６１ｄ，６１ｂ１，６１ｂ２，６１ｃ１，６１ｃ２  支持部
６２ａ〜６２ｄ，１６２ａ，１６２ｂ，２３６ａ〜２３６ｄ  変位検出部
６３  加速度検出部
９  演算制御部
９２  変位補正部
２０３  表示装置
【図１】
0005269859.tif 000002
【図２】
0005269859.tif 000003
【図３】
0005269859.tif 000004
【図４】
0005269859.tif 000005
【図５】
0005269859.tif 000006
【図６】
0005269859.tif 000007
【図７】
0005269859.tif 000008
【図８】
0005269859.tif 000009
【図９】
0005269859.tif 000010